(57)【要約】【課題】  床仕上材を据え付け作業性良く配置することが可能なエレベータ乗場の敷居装置を提供する。【解決手段】  エレベータ乗場の建築壁側面８ａに第一の金具３を固定し、第一の金具３に第二の金具４を締結固定した上で、その第二の金具４の上部に敷居２を配置し、固定する。エレベータ乗場の建築壁上面８ｂに配置されて、建築壁側面８ａから敷居２側に任意の厚さで延出する床仕上材１と、敷居２とのそれぞれの上面（１ａ、２ｂ。）が平滑になるように、かつそれぞれの側面（１ｃ、２ｃ。）が接するように据付配置する上で、床仕上材１と接する側に位置する第二の金具上部４ｄの形状が、敷居２の床仕上材１と接する側の側面（２ｃ）に沿うように加工形成しておき、敷居２よりも床仕上材１の方が厚い場合に、床仕上材側面１ｃが第二の金具上部４ｄの側面に接するように組み立てる。【選択図】図２
2005132518.tif 000002
【特許請求の範囲】
【請求項１】
エレベータ乗場の建築壁側面に固定される第一の金具、上記第一の金具に締結固定される第二の金具、上記第二の金具の上部に支持される敷居を備え、上記敷居は、エレベータ乗場の建築壁上面に配置されて上記建築壁側面から上記敷居側に任意の厚さで延出する床仕上材と、それぞれの上面が平滑になるように、かつそれぞれの側面が接するように配置され、さらに、上記床仕上材と接する側に位置する上記第二の金具の上部が、上記敷居の上記床仕上材と接する側の側面に沿うように加工形成されたことを特徴とするエレベータ乗場の敷居装置。
【発明の詳細な説明】
【技術分野】
【０００１】
この発明は、エレベータ乗場の敷居装置に関するものである。
【背景技術】
【０００２】
従来のエレベータ乗場の敷居装置では、エレベータ乗場の出入口の下縁部に配置される敷居を支持する金具として、水平方向に長い横長穴を設けた金具を用い、その金具と建築壁とを別の金具を介して固定することで敷居の設置を行っていた（例えば、特許文献１参照。）。
【０００３】
【特許文献１】実公昭６２−６０６７号公報
【発明の開示】
【発明が解決しようとする課題】
【０００４】
上記のような従来のエレベータ乗場の敷居装置では、エレベータ乗場の建築壁上面に配置される床仕上材と敷居およびその敷居を固定するための金具との配置については特に考慮されておらず、敷居の幅や、金具の水平方向の寸法、床仕上材の厚さに応じて、据え付け作業時に床仕上材を加工し直す必要もあった。
【０００５】
この発明は、上記のような問題点を解消するためになされたもので、床仕上材の据付作業性を向上させることが可能なエレベータ乗場の敷居装置を提供することを目的とする。
【課題を解決するための手段】
【０００６】
この発明に係わるエレベータ乗場の敷居装置は、エレベータ乗場の建築壁側面に固定される第一の金具、上記第一の金具に締結固定される第二の金具、上記第二の金具の上部に支持される敷居を備え、上記敷居は、エレベータ乗場の建築壁上面に配置されて上記建築壁側面から上記敷居側に任意の厚さで延出する床仕上材と、それぞれの上面が平滑になるように、かつそれぞれの側面が接するように配置され、さらに、上記床仕上材と接する側に位置する上記第二の金具の上部が、上記敷居の上記床仕上材と接する側の側面に沿うように加工形成されたことを特徴とするエレベータ乗場の敷居装置。
【発明の効果】
【０００７】
この発明のエレベータ乗場の敷居装置によれば、建築壁側面から敷居側に向って延出する床仕上材を、敷居と、その敷居を支持する金具に接するように、簡単に配置することができ、床仕上材の据付作業性を向上させることが可能となる。
【発明を実施するための最良の形態】
【０００８】
実施の形態１．
図１はこの発明の実施の形態１であるエレベータ乗場の敷居装置の構成を示す正面図であり、図２は図１のII−II側面図である。図１および図２に示すように、このエレベータ乗場の敷居装置は、建築壁８のエレベータが設置される側の側面（建築壁側面８ａ。）に取り付け固定された敷居固定用の第一の金具３と、この第一の金具３に締結固定される第二の金具４と、第二の金具４の上部に支持され、エレベータ扉をスライドさせるための溝（敷居溝２ａ。）が設けられた敷居２により主に構成される。
【０００９】
建築壁上面８ａのエレベータ乗場の床面に相当する部分には床仕上材1が配置され、その端部（床仕上材端部１ｂ。）は、任意の一様な厚さでもって建築壁側面８ａから敷居２側に延出している。床仕上材上面１ａと敷居上面２ｂは平滑になるように、かつ、それぞれの側面（床仕上材側面１ｃと敷居側面２ｃ。）が接するように連続して配置される。さらに、床仕上材１と接する側に位置する第二の金具４の上部（第二の金具上部４ｄ。）が、敷居２の床仕上材１と接する側の側面（敷居側面２ｃ。）に沿って、平滑となるように、第二の金具上部４ｄの床仕上材１側に位置する部分に切り欠きを設けた状態に加工形成されている。
【００１０】
図１および図２に示すように、断面形状がコの字型である第一の金具３の建築壁側面８ａと接する主面部３ａには、複数箇所に長穴３ｂが設けられ、この長穴３ｂを介してボルト（締結具。）６によって第一の金具３を建築壁側面８ａに固定する。第一の金具３における主面部３ａの左右両端から突き出し、建築壁側面８ａに対し、垂直な上下方向に伸びるように配置される側面部３ｃには、長穴３ｄが設けられ、第二の金具４との締結に用いられる。第二の金具４は、第一の金具３に二つ設けられている側面部３ｃに対してそれぞれ１個配置され、その断面形状はＬ字型であり、第一の金具３の側面部３ｃと重ねられて締結される主面部４ａには長穴４ｂが設けられ、この長穴４ｂを介してボルト（締結具。）５によって第一の金具３と第二の金具４とが締結される。さらに、第二の金具４の主面部４ａ端部から屈曲する敷居支持部４ｃは、その水平となる上面に敷居２を載置でき、ボルト（締結具。）７によって敷居２と敷居支持部４ｃとが固定されるように構成されている。
【００１１】
次に、組み立て手順について説明する。まず、建築壁側面８ａに第一の金具３をボルト６によって固定し、第一の金具３の両端に位置する側面部３ｃに第二の金具４をボルト５にて固定する。この第一の金具３と第二の金具４の組み合わせを敷居２の長さや重量に応じて必要な数だけ設置する。次に、第二の金具４の敷居支持部４ｃ上に敷居２を載置し、ボルト７にて固定する。この時、第二の金具４は、床仕上材１の側面に接触する部分（第二の金具上部４ｄ。）が、その上部に固定した敷居側面２ｃに沿って平滑に繋がるように加工形成されている。図２では、敷居２の幅と、第二の金具上部４ｄにおける金具の幅がほぼ同じ寸法になるように、第二の金具４が加工された例が示されているが、少なくとも、床仕上材１の側面と接する側に位置する第二の金具上部４ｄの形状が、敷居側面２ｃに沿うように加工されていれば、敷居２の直下において、第二の金具４が敷居２よりも広幅に形成されていても良い。敷居２を固定後、ボルト５締結部分の長穴３ｄおよび４ｂを利用して敷居２の位置を調整する。位置調整後、床仕上材１にて床を仕上げ、組み立てが完了する。
【００１２】
次に、この発明に対する比較例として、図３に第二の金具上部４ｅを、敷居２の幅よりも広く、主面部４ａの主体部分（長穴４ｂ等の形成部分。）と同じ幅となるように形成し、さらに、この第二の金具上部４ｅが、敷居側面２ｃよりも床仕上材１側に突き出して形成された場合の、エレベータ乗場の敷居装置の側面図を示す。敷居２よりも床仕上材１の方が厚い場合、敷居上面２ｂと床仕上材上面１ａとが平滑となるように、かつそれぞれの側面が接するように配置すれば、床仕上材１の厚みがその端部（床仕上材端部１ｂ。）まで一様である場合は、第二の金具上部４ｅと床仕上材端部１ｂとが干渉することになる。そのような干渉を防ぐには、床仕上材端部１ｂを加工（削り加工部分１ｄを形成する。）する必要がある。床仕上材１が大理石などの材質である場合、この削り加工のために、据付作業性を大きく阻害してしまう。
【００１３】
これに対し、本願発明のエレベータ乗場の敷居装置では、敷居２よりも床仕上材１の方が厚い場合においても、図２に示すように、第二の金具上部４ｄを、敷居側面２ｃに沿うように加工（切り欠き部を形成。）しているため、床仕上材１との干渉を防ぐことができ、床仕上材１に対する削り加工が不要であり、床仕上材側面１ｃを敷居側面２ｃおよび第二の金具上部４ｄの側面に接するように簡単に配置でき、据付作業性を向上させることができる。また、第二の金具４は、その上部４ｄの幅を小さくするだけであり、敷居２の位置調整に必要となる主体部分（長穴４ｂ等の形成部分。）については何の加工も施さないため、従来と同じ量の水平調整余裕を確保できる。
【図面の簡単な説明】
【００１４】
【図１】この発明の実施の形態１におけるエレベータ乗場の敷居装置の構成を示す正面図である。
【図２】この発明の実施の形態１におけるエレベータ乗場の敷居装置の側面図である。
【図３】比較例として挙げたエレベータ乗場の敷居装置の側面図である。
【符号の説明】
【００１５】
１  床仕上材
１ａ  床仕上材上面
１ｂ  床仕上材端部
１ｃ  床仕上材側面
１ｄ  削り加工部分
２  敷居
２ａ  敷居溝
２ｂ  敷居上面
２ｃ  敷居側面
３  第一の金具
３ａ、４ａ  主面部
３ｂ、３ｄ、４ｂ  長穴
３ｃ  側面部
４  第二の金具
４ｃ  敷居支持部
４ｄ、４ｅ  第二の金具上部
５、６、７  ボルト
８  建築壁
８ａ  建築壁側面
８ｂ  建築壁上面。
【図１】
2005132518.tif 000003
【図２】
2005132518.tif 000004
【図３】
2005132518.tif 000005